(57)【要約】【課題】停電発生時において食の確保を確実に行うことができる建物給電システムを提供する。【解決手段】地域内には冷蔵庫２４を有する複数の建物１１が設けられている。これらの建物１１には車両１３が接続可能であり、その接続状態で車両１３から冷蔵庫２４への給電が可能とされている。管理サーバ４０は、各建物１１で停電が発生した場合には、各建物１１における冷蔵庫２４の庫内温度を取得し、それら取得した各冷蔵庫２４の庫内温度に基づき各建物１１の冷蔵庫２４へ車両１３より給電を行う際の優先順位を設定する。そして、管理サーバ４０は、車両１３のユーザが所持する携帯端末４８に、上記設定した優先順位にしたがって各建物１１の冷蔵庫２４に車両１３より給電を行うよう給電指示を出す。【選択図】図３
2018078689.tif 000002
【特許請求の範囲】
【請求項１】
食品を冷蔵する冷蔵庫が設けられた所定の建物に適用され、
前記所定の建物は、給電機能を有する車両と電気的に接続可能であり、該接続状態で前記車両から前記冷蔵庫に給電が可能とされている建物給電システムであって、
前記所定の建物で停電が発生した場合に、前記冷蔵庫に給電を行う前記車両として予め定められた給電車両と、
前記所定の建物で停電が発生した場合に、前記給電車両のユーザに対し当該給電車両より前記冷蔵庫に給電を行うよう給電指示を出す給電指示手段と、
を備えることを特徴とする建物給電システム。
【請求項２】
複数の前記所定の建物に対して適用される建物給電システムであって、
前記給電車両は、前記各所定の建物の前記冷蔵庫に給電を行う車両として予め定められており、
前記各所定の建物で停電が生じた場合に、前記各所定の建物ごとに、前記冷蔵庫の庫内又は周辺の温度に関する情報、及び前記冷蔵庫に保管されている食品の在庫量に関する情報のうち少なくともいずれかを冷蔵庫情報として取得する冷蔵庫情報取得手段を備え、
前記給電指示手段は、前記冷蔵庫情報取得手段により取得した前記各所定の建物の前記冷蔵庫情報に基づき、前記各所定の建物の前記冷蔵庫に前記給電車両より給電を行うよう給電指示を出すことを特徴とする請求項１に記載の建物給電システム。
【請求項３】
前記冷蔵庫情報取得手段により取得した前記各所定の建物の前記冷蔵庫情報に基づき、前記給電車両より前記各所定の建物の前記冷蔵庫へ給電を行う際の優先順位を設定する優先順位設定手段を備え、
前記給電指示手段は、前記設定された優先順位にしたがって、前記各所定の建物の前記冷蔵庫に給電を行うよう給電指示を出すことを特徴とする請求項２に記載の建物給電システム。
【請求項４】
前記冷蔵庫情報取得手段は、前記各所定の建物ごとに、前記冷蔵庫情報として前記冷蔵庫の庫内温度を取得するものであり、
前記優先順位設定手段は、前記取得された前記各所定の建物の前記冷蔵庫の庫内温度に基づいて、前記優先順位を設定することを特徴とする請求項３に記載の建物給電システム。
【請求項５】
前記冷蔵庫情報取得手段は、前記各所定の建物ごとに、前記冷蔵庫情報として前記冷蔵庫内の食品の在庫量を取得するものであり、
前記優先順位設定手段は、前記取得された前記各所定の建物の前記冷蔵庫内の在庫量に基づいて、前記優先順位を設定することを特徴とする請求項３又は４に記載の建物給電システム。
【請求項６】
前記各所定の建物で停電が生じた場合に、前記各建物ごとに居住者が在宅しているか否かを判定する在宅判定手段を備え、
前記優先順位設定手段は、前記在宅判定手段の判定結果に基づいて、前記優先順位を設定することを特徴とする請求項３乃至５のいずれか一項に記載の建物給電システム。
【請求項７】
前記給電車両は複数設けられており、
前記各給電車両の位置情報を取得する位置情報取得手段と、
前記位置情報取得手段により取得された前記各給電車両の位置情報に基づいて、それら各給電車両のうちいずれの給電車両のユーザに前記給電指示を出すかを決定する給電車両決定手段とを備えることを特徴とする請求項２乃至６のいずれか一項に記載の建物給電システム。
【請求項８】
前記各所定の建物はいずれも所定地域内に設けられており、
前記各所定の建物における前記車両がそれぞれ前記給電車両として定められており、
前記給電車両決定手段は、前記位置情報取得手段により取得された前記各給電車両の位置情報に基づき、前記各給電車両が前記所定地域内にあるか否かを判定し、判定の結果、前記所定地域内にあると判定された前記給電車両のユーザに前記給電指示を出すことを決定することを特徴とする請求項７に記載の建物給電システム。
【発明の詳細な説明】
【技術分野】
【０００１】
本発明は、建物に設けられた冷蔵庫に車両より給電が可能とされている建物給電システムに関するものである。
【背景技術】
【０００２】
特許文献１には、地震等の災害に伴い建物で停電が生じた場合に、建物に設けられた蓄電池の蓄電電力を冷蔵庫に供給する技術が開示されている。この特許文献１の技術によれば、建物で停電が発生しても、冷蔵庫内の食品を長期間保存することが可能となるため、災害時において食を確保するのに有効となる。
【先行技術文献】
【特許文献】
【０００３】
【特許文献１】特開２０１５−１４８４３３号公報
【発明の概要】
【発明が解決しようとする課題】
【０００４】
近年、ハイブリッド自動車や電気自動車に搭載された車載バッテリを用いて車両から建物側に電力を供給する技術が提案されている。そこで、建物において停電が生じた場合に、かかる車両から建物内の冷蔵庫に電力を供給するようにすることが考えられる。この場合、建物に蓄電池が設けられていない場合でも、車載バッテリを用いて冷蔵庫を運転させることで庫内の食品を長期に亘り保存することが可能となる。
【０００５】
しかしながら、建物において停電が発生した際に、車両が使用中である等して建物の近くにない場合には、車両から建物内の冷蔵庫に電力を供給することができなくなってしまう。そのため、その場合には、冷蔵庫内の食品が傷んでしまう等、食の確保が困難になることが考えられる。
【０００６】
本発明は、上記事情に鑑みてなされたものであり、停電発生時において食の確保を確実に行うことができる建物給電システムを提供することを主たる目的とするものである。
【課題を解決するための手段】
【０００７】
上記課題を解決すべく、第１の発明の建物給電システムは、食品を冷蔵する冷蔵庫が設けられた所定の建物に適用され、前記所定の建物は、給電機能を有する車両と電気的に接続可能であり、該接続状態で前記車両から前記冷蔵庫に給電が可能とされている建物給電システムであって、前記所定の建物で停電が発生した場合に、前記冷蔵庫に給電を行う前記車両として予め定められた給電車両と、前記所定の建物で停電が発生した場合に、前記給電車両のユーザに対し当該給電車両より前記冷蔵庫に給電を行うよう給電指示を出す給電指示手段と、を備えることを特徴とする。
【０００８】
本発明によれば、所定の建物で停電が発生した場合には、その建物の冷蔵庫に給電を行う車両として予め定められた給電車両のユーザに同車両より冷蔵庫に給電を行うよう給電指示が出される。これにより、建物で停電が発生した場合に、その建物の（居住者等が所有する）車両が使用中である等して建物付近にない場合でも、給電車両のユーザに同車両を用いて冷蔵庫への給電を行わせることができる。そのため、停電発生時において冷蔵庫内の食品を確実に保存させることができ、ひいては食の確保を確実に行うことができる。
【０００９】
第２の発明の建物給電システムは、第１の発明において、複数の前記所定の建物に対して適用される建物給電システムであって、前記給電車両は、前記各所定の建物の前記冷蔵庫に給電を行う車両として予め定められており、前記各所定の建物で停電が生じた場合に、前記各所定の建物ごとに、前記冷蔵庫の庫内又は周辺の温度に関する情報、及び前記冷蔵庫に保管されている食品の在庫量に関する情報のうち少なくともいずれかを冷蔵庫情報として取得する冷蔵庫情報取得手段を備え、前記給電指示手段は、前記冷蔵庫情報取得手段により取得した前記各所定の建物の前記冷蔵庫情報に基づき、前記各所定の建物の前記冷蔵庫に前記給電車両より給電を行うよう給電指示を出すことを特徴とする。
【００１０】
本発明では、複数の建物で停電が発生した場合に、それら各建物の冷蔵庫に給電車両より給電が行われる。具体的には、停電発生時には、各建物の冷蔵庫情報が取得され、それら取得された冷蔵庫情報に基づき各建物への給電指示が給電車両のユーザに出される。この場合、例えば各建物の冷蔵庫のうち庫内温が高くなっている冷蔵庫や、食品在庫量の多い冷蔵庫等、給電の求められる度合いの高い冷蔵庫ほど優先させて給電を行うよう給電指示を出すことができる。そのため、給電車両から複数の建物の冷蔵庫に給電を行うにあたり、好適に給電を行うことができる。
【００１１】
第３の発明の建物給電システムは、第２の発明において、前記冷蔵庫情報取得手段により取得した前記各所定の建物の前記冷蔵庫情報に基づき、前記給電車両より前記各所定の建物の前記冷蔵庫へ給電を行う際の優先順位を設定する優先順位設定手段を備え、前記給電指示手段は、前記設定された優先順位にしたがって、前記各所定の建物の前記冷蔵庫に給電を行うよう給電指示を出すことを特徴とする。
【００１２】
本発明によれば、停電発生時に、各建物の冷蔵庫情報に基づき、各建物の冷蔵庫へ給電車両より給電を行う際の優先順位が設定され、その設定された優先順位にしたがって各建物の冷蔵庫に給電を行うよう給電車両のユーザに給電指示が出される。この場合、例えば各建物の冷蔵庫のうち庫内温が高い冷蔵庫ほど給電の優先順位を高く設定したり、保管されている食品の在庫量が多い冷蔵庫ほど給電の優先順位を高く設定したりすることができる。これにより、各建物の冷蔵庫に給電の求められる度合いの高い順で給電を行わせることが可能となるため、各冷蔵庫への給電をより好適に行うことができる。
【００１３】
第４の発明の建物給電システムは、第３の発明において、前記冷蔵庫情報取得手段は、前記各所定の建物ごとに、前記冷蔵庫情報として前記冷蔵庫の庫内温度を取得するものであり、前記優先順位設定手段は、前記取得された前記各所定の建物の前記冷蔵庫の庫内温度に基づいて、前記優先順位を設定することを特徴とする。
【００１４】
本発明によれば、停電発生時に各建物の冷蔵庫の庫内温度が取得され、それら取得された各冷蔵庫の庫内温度に基づいて、各建物の冷蔵庫へ給電を行う際の優先順位が設定される。この場合、各建物の冷蔵庫のうち庫内温度が高い冷蔵庫ほど給電の優先順位を高く設定することで、庫内温度が高く食品の保存が困難な冷蔵庫に優先させて給電を行うことができる。これにより、停電発生時に各冷蔵庫内の食品を好適に保存させることができる。
【００１５】
第５の発明の建物給電システムは、第３又は第４の発明において、前記冷蔵庫情報取得手段は、前記各所定の建物ごとに、前記冷蔵庫情報として前記冷蔵庫内の食品の在庫量を取得するものであり、前記優先順位設定手段は、前記取得された前記各所定の建物の前記冷蔵庫内の在庫量に基づいて、前記優先順位を設定することを特徴とする。
【００１６】
本発明によれば、停電発生時に各建物の冷蔵庫内の食品在庫量が取得され、それら取得された各冷蔵庫内の食品在庫量に基づいて、各建物の冷蔵庫へ給電を行う際の優先順位が設定される。この場合、各建物の冷蔵庫のうち食品在庫量が多い冷蔵庫ほど優先順位を高く設定することで、食品在庫量が多く食の確保に有効な冷蔵庫に優先させて給電を行うことができる。これにより、停電発生時に食の確保を好適に行うことができる。また、この場合、多くの食品を確保することで、停電時にその食品を各建物の居住者に分け与えるといったことも可能となるため、その点を踏まえても好適な構成といえる。
【００１７】
第６の発明の建物給電システムは、第３乃至第５のいずれかの発明において、前記各所定の建物で停電が生じた場合に、前記各建物ごとに居住者が在宅しているか否かを判定する在宅判定手段を備え、前記優先順位設定手段は、前記在宅判定手段の判定結果に基づいて、前記優先順位を設定することを特徴とする。
【００１８】
本発明によれば、各建物で停電が生じた場合に、各建物ごとに居住者の在不在が判定され、その判定結果に基づいて、各建物の冷蔵庫へ給電車両より給電を行う際の優先順位が設定される。この場合、居住者が在宅している建物の冷蔵庫ほど給電の優先順位を高く設定することで、居住者が在宅していることで食の確保が必要となる建物の冷蔵庫に優先して給電を行うことができる。これにより、停電発生時において好適に居住者の食の確保を行うことができる。
【００１９】
第７の発明の建物給電システムは、第２乃至第６のいずれかの発明において、前記給電車両は複数設けられており、前記各給電車両の位置情報を取得する位置情報取得手段と、前記位置情報取得手段により取得された前記各給電車両の位置情報に基づいて、それら各給電車両のうちいずれの給電車両のユーザに前記給電指示を出すかを決定する給電車両決定手段とを備えることを特徴とする。
【００２０】
本発明によれば、停電発生時に各給電車両の位置情報に基づいて、それら各給電車両のうちいずれの給電車両のユーザに給電指示を出すかが決定される。この場合、例えば各給電車両のうち建物近くに存在する給電車両のユーザに給電指示を出すことで、給電車両による建物内の冷蔵庫への給電を速やかに行わせることが可能となる。そのため、冷蔵庫内の食品の保存を好適に行うことができる。
【００２１】
第８の発明の建物給電システムは、第７の発明において、前記各所定の建物はいずれも所定地域内に設けられており、前記各所定の建物における前記車両がそれぞれ前記給電車両として定められており、前記給電車両決定手段は、前記位置情報取得手段により取得された前記各給電車両の位置情報に基づき、前記各給電車両が前記所定地域内にあるか否かを判定し、判定の結果、前記所定地域内にあると判定された前記給電車両のユーザに前記給電指示を出すことを決定することを特徴とする。
【００２２】
本発明によれば、所定地域内に設けられた各建物の車両がそれぞれ給電車両として定められており、停電発生時にはこれら各給電車両のうち所定地域内に存在する給電車両のユーザに給電指示が出される。この場合、所定地域内における各建物の車両のうちいずれかの車両が使用中である等して所定地域外にある場合でも、所定地域内にある他の車両（給電車両）を用いて各建物の冷蔵庫に給電を行うことができる。かかる構成では、地域内における各建物の車両を用いてそれら各建物の冷蔵庫への給電を行うこととしているため、冷蔵庫への給電を速やかに開始させることができるとともに、給電車両として専用の車両を別途用意する必要がないという利点を得ることもできる。
【図面の簡単な説明】
【００２３】
【図１】建物給電システムの概略を示す図。
【図２】建物の概略構成を示す図。
【図３】建物給電システムの電気的構成を示す図。
【図４】建物給電処理を示すフローチャート。
【図５】給電指示処理を示すフローチャート。
【発明を実施するための形態】
【００２４】
以下に、本発明を具体化した一実施の形態について図面を参照しつつ説明する。図１は、建物給電システムの概略を示す図である。
【００２５】
図１に示すように、建物給電システムは、所定の地域Ｘ内に設けられた複数（本実施形態では３つ）の建物１１（所定の建物に相当）を給電対象としたシステムとなっている。これらの建物１１は、いずれも戸建ての住宅からなり、例えば同じ住宅分譲地又は同じ団地内に設けられている。各建物１１にはそれぞれ屋外側に駐車スペース１２が設けられている。駐車スペース１２には建物１１に居住する居住者の車両１３が駐車されている。これらの車両１３はいずれもプラグインハイブリッド自動車（ＰＨＶ）又は電気自動車（ＥＶ）からなり、外部からの給電により充電を行うことが可能な充電機能を有している。また、これらの車両１３は、充電等で蓄えられた電力を外部に供給可能な外部給電機能を有している。
【００２６】
各建物１１には、駐車スペース１２に駐車された車両１３に充電を行う充電装置１５が設けられている。この充電装置１５は車両１３と接続可能とされており、その接続状態で建物１１側から車両１３に充電装置１５を介して電力（商用電力）を供給することが可能となっている。この場合、その供給された電力により車両１３が充電されるようになっている。
【００２７】
また、充電装置１５は、車両１３との接続状態で、車両１３側から建物１１側に充電装置１５を介して電力を供給する機能を有している。つまり、車両１３（詳しくは、後述する車載バッテリ２７）に蓄えられた（充電された）電力を建物１１側に供給する（放出する）機能を有している。このため、地震等の災害により建物１１において停電が発生した場合には、車両１３から建物１１側に電力を供給することで、建物１１内の電気機器を作動（運転）させることが可能となっている。
【００２８】
続いて、各建物１１の構成について図２を用いながら説明する。図２は、建物１１の概略構成を示す図である。なお、各建物１１はいずれも同様の構成となっており、このため、図２では一の建物１１のみを示している。
【００２９】
図２に示すように、建物１１には、分電盤２１が設けられている。分電盤２１には、図示しない電柱等から送電線２２を介してＡＣ１００Ｖ／２００Ｖの商用電力が供給される。分電盤２１には、複数の電気機器Ｅ（照明機器や家電機器など）が接続されている。これらの電気機器Ｅには、分電盤２１より商用電力が供給される。また、これらの電気機器Ｅには、食品を冷蔵するための冷蔵庫２４が含まれている。
【００３０】
分電盤２１には、電力線２５を介して充電装置１５が接続されている。充電装置１５には、分電盤２１より電力線２５を介して商用電力が供給される。充電装置１５は、車両１３に設けられた接続口１３ａ（インレット）に接続可能な充電ケーブル１５ａを有している。この充電ケーブル１５ａが接続口１３ａに接続されると、車両１３と充電装置１５とが電気的に接続される。そして、この接続状態で充電装置１５から車両１３に電力が供給されると、その電力により車両１３の充電が行われる。詳しくは、車両１３には、高圧二次電池からなる車載バッテリ２７が搭載され、その車載バッテリ２７に充電装置１５から電力が供給され同バッテリ２７が充電される。
【００３１】
また、上述したように、車両１３には外部給電機能が設けられており、車両１３と充電装置１５との接続状態にて、車載バッテリ２７に蓄えられた電力（蓄電電力）を充電ケーブル１５ａを介して充電装置１５に取り込むことが可能となっている。この場合、充電装置１５に取り込まれた電力は同装置１５より分電盤２１に電力線２５を介して供給され、その供給された電力は分電盤２１より冷蔵庫２４を含む各電気機器Ｅに供給されるようになっている。
【００３２】
このように、本建物給電システムでは、建物１１で停電が発生した場合に、車両１３の車載バッテリ２７を用いて、同バッテリ２７より蓄電電力を建物１１側の電気機器Ｅに供給することが可能となっている。また、この際、冷蔵庫２４にも電力を供給することが可能となっているため、停電発生時において車載バッテリ２７（ひいては車両１３）からの電力により冷蔵庫２４を作動（運転）させることが可能となっている。そのため、停電発生時において冷蔵庫２４内の食品を長時間保存させることが可能となっている。
【００３３】
ところで、建物１１において停電が生じた場合に、車両１３が使用中である等して車両１３が建物１１の近くにないときには、車両１３（車載バッテリ２７）を用いて建物１１側に電力を供給することができないため、建物１１内の冷蔵庫２４にも電力を供給することができなくなってしまう。そのため、冷蔵庫２４内の温度が高くなってしまい、冷蔵庫２４内に保管されている食品が傷む等、食品の保存が困難となるおそれがある。
【００３４】
そこで、本建物給電システムでは、そのような場合を想定して、停電発生時に建物１１の近くに車両１３（つまり自車両）がない場合でも、他の車両１３から建物１１（ひいては建物１１内の冷蔵庫２４）に電力の供給を受けられるようにするための構成を有している。本システムでは、その点に特徴を有しており、以下においてはその特徴的な構成について説明する。
【００３５】
各建物１１の車両１３はいずれも、それら建物１１で停電が発生した場合に、それら建物１１を給電対象として給電を行う給電車両として予め登録されている。これにより、各建物１１で停電が発生した場合に、各建物１１の車両１３のうちいずれかの車両１３が建物１１の近く（地域Ｘ内）にないときでも、地域Ｘ内にある他の車両１３を用いて当該建物１１、ひいては建物１１内の冷蔵庫２４へ給電を行うことができるようになっている。
【００３６】
各建物１１の冷蔵庫２４にはそれぞれ、庫内の温度を検知する庫内温センサ３１と、庫内に保管されている食品の在庫量を検知する在庫量センサ３２とが設けられている。これら各センサ３１，３２はいずれも冷蔵庫２４の内部（庫内）に設けられている。
【００３７】
在庫量センサ３２は、庫内に設けられた棚の上に載せられる食品の重量を検知する重量センサを有して構成される。重量センサは各棚ごとに設けられ、それら各重量センサにより各棚上に載せられた食品の重量がそれぞれ検知される。そして、在庫量センサ３２は、それら検知される各棚上の食品重量の総和を冷蔵庫２４内に保管されている食品の在庫量として検知する。
【００３８】
なお、庫内温センサ３１はバッテリを内蔵しており、建物１１で停電が発生した場合にも、そのバッテリに蓄えられた蓄電電力によりセンサ３１を作動させ庫内温の検知をすることが可能となっている。
【００３９】
各建物１１には、建物１１内に人がいることを検知する人検知センサ３３が設けられている。また、各建物１１には、ホームサーバ３５が設けられている。ホームサーバ３５は、パソコン等の周知のコンピュータを用いて構成されている。
【００４０】
次に、本建物給電システムの電気的構成について図３に基づいて説明する。図３は建物給電システムの電気的構成を示す図である。なお、図３では便宜上、一の車両１３のみ図示している。
【００４１】
図３に示すように、各建物１１ではそれぞれ、ホームサーバ３５に庫内温センサ３１と在庫量センサ３２と人検知センサ３３とが接続されている。ホームサーバ３５には、これら各センサ３１〜３３よりそれぞれ検知情報が入力される。
【００４２】
各建物１１のホームサーバ３５はそれぞれインターネット３８を介して管理サーバ４０と接続されている。管理サーバ４０は、本建物給電システムを統括管理するものであり、例えば住宅販売会社の管理者により管理されている。管理サーバ４０は、パソコン等の周知のコンピュータを用いて構成され、記憶部４１と通信部４２とを有している。なお、管理サーバ４０はクラウドを利用して構成してもよい。
【００４３】
各建物１１のホームサーバ３５は、各センサ３１〜３３から検知情報が入力されると、その入力された検知情報を都度管理サーバ４０に対して出力する。したがって、管理サーバ４０には、各建物１１のホームサーバ３５より都度、センサ３１〜３３の検知情報が入力されるようになっている。
【００４４】
管理サーバ４０は、各建物１１のホームサーバ３５から入力される庫内温センサ３１の検知情報、つまり庫内温センサ３１により検知された庫内温の情報を都度記憶部４１に記憶する。この場合、記憶部４１には最新の庫内温情報のみが記憶される。つまり、最新の庫内温情報が記憶部４１に記憶されると、記憶部４１に記憶されている以前の庫内温情報が上書されて消去される。したがって、管理サーバ４０では、各建物１１の冷蔵庫２４における今現在（最新）の庫内温を都度把握することが可能となっている。
【００４５】
また、管理サーバ４０は、各建物１１のホームサーバ３５から入力される在庫量センサ３２の検知情報、つまり在庫量センサ３２により検知された食品在庫量の情報を都度記憶部４１に記憶する。この場合、記憶部４１には、上記庫内温情報と同様、最新の食品在庫量情報のみが記憶される。したがって、管理サーバ４０では、各建物１１の冷蔵庫２４に保管されている今現在（最新）の食品在庫量を都度把握することが可能となっている。
【００４６】
また、管理サーバ４０は、各建物１１のホームサーバ３５から入力される人検知センサ３３の検知情報、つまり人検知センサ３３により建物１１内にて人が検知されたか否かを示す人検知情報に基づき、各建物１１ごとに居住者の在不在を判定する。そして、管理サーバ４０は、その判定した各建物１１における在不在に関する在不在情報を都度記憶部４１に記憶する。この場合、記憶部４１には、上記庫内温情報等と同様、最新の在不在情報のみが記憶される。したがって、管理サーバ４０では、各建物１１に居住者が今現在在宅しているか否かを都度把握することが可能となっている。
【００４７】
通信部４２は、各車両１３との間で無線通信が可能とされている。各車両１３はいずれもコントローラ４５と、上述した車載バッテリ２７と、ＧＰＳ端末４６とを備える。コントローラ４５は、周知のマイクロコンピュータを有してなり、管理サーバ４０の通信部４２との間で無線通信可能な通信部４５ａを有している。この場合、コントローラ４５は、各通信部４２，４５ａを介して管理サーバ４０と無線通信が可能となっている。
【００４８】
コントローラ４５は、車載バッテリ２７の蓄電量を算出する算出機能を有している。コントローラ４５は、管理サーバ４０側からの要求に応じて、その算出した蓄電量情報を通信部４５ａを通じて管理サーバ４０側に送信する。
【００４９】
ＧＰＳ端末４６は、ＧＰＳ衛星から発信される電波を受信することで自身（車両１３）の位置情報を生成（取得）するものである。コントローラ４５は、管理サーバ４０側からの要求に応じて、ＧＰＳ端末４６で生成された車両１３の位置情報を通信部４５ａを通じて管理サーバ４０側に送信する。
【００５０】
各建物１１における車両１３のユーザ（所有者）はそれぞれ携帯端末４８を所持している。携帯端末４８は、管理サーバ４０の通信部４２との間で無線通信が可能となっている。なお、図３では、便宜上、一の携帯端末４８のみ図示している。携帯端末４８は、例えばスマートフォンや携帯電話器等からなり、ディスプレイ部を有している。携帯端末４８には、停電発生時に管理サーバ４０から通信部４２より建物１１への給電指示が送信される。給電指示は例えばメールで送信され、その給電指示が携帯端末４８により受信されると、携帯端末４８のディスプレイ部に給電指示の内容が表示される。なお、給電指示をメールに代えて音声情報で送信し、その音声情報を受信した携帯端末４８が給電指示の内容を音声で出力するようにしてもよい。
【００５１】
次に、管理サーバ４０によって実行される建物給電処理について説明する。図４は、建物給電処理を示すフローチャートである。なお、本処理は、地震等の災害により地域Ｘ内（つまり各建物１１）で停電が発生したことをトリガとして開始される。例えば、管理サーバ４０に、電力会社等から停電発生情報が入力されたことに基づき開始される。
【００５２】
まずステップＳ１１では、各建物１１における冷蔵庫２４の庫内温情報及び食品在庫量情報を記憶部４１より読み出す。これにより、停電発生時、詳しくは停電発生直前の各冷蔵庫２４の庫内温情報及び食品在庫量情報が取得される。なお、庫内温情報及び食品在庫量情報が冷蔵庫情報に相当する。
【００５３】
続くステップＳ１２では、各建物１１における在不在情報を記憶部４１より読み出す。これにより、停電発生時における各建物１１の在不在情報が取得される。次のステップＳ１３では、取得した各建物１１の在不在情報に基づき、各建物１１ごとに居住者が在宅しているか否かを判定する在宅判定処理を行う。
【００５４】
ステップＳ１４では、上記のステップで取得した各建物１１における冷蔵庫２４の庫内温情報及び食品在庫量情報と、在宅判定処理の判定結果とのうち少なくともいずれかに基づき、各建物１１の冷蔵庫２４に車両１３より給電を行う際の優先順位を設定する優先順位設定処理を行う。優先順位設定処理では、例えば以下の（ａ）〜（ｃ）に示す処理を行うことが考えられる。
【００５５】
（ａ）まず、各建物１１における冷蔵庫２４の庫内温情報に基づき、各建物１１の冷蔵庫２４（つまりは各建物１１）に車両１３より給電する際の優先順位を設定することが考えられる。この場合、庫内温が高い冷蔵庫２４ほど給電の優先順位を高く設定することが考えられる。
【００５６】
（ｂ）また、各建物１１における冷蔵庫２４の食品在庫量情報に基づき、各建物１１の冷蔵庫２４に給電する際の優先順位を設定するようにしてもよい。この場合、食品在庫量が多い冷蔵庫２４ほど給電の優先順位を高く設定することが考えられる。
【００５７】
（ｃ）また、在宅判定処理の判定結果、つまり各建物１１に居住者が在宅しているか否かに基づき、各建物１１の冷蔵庫２４に給電する際の優先順位を設定するようにしてもよい。この場合、居住者が在宅している建物１１の冷蔵庫２４ほど給電の優先順位を高く設定することが考えられる。
【００５８】
ステップＳ１５では、各車両１３の位置情報及び蓄電量情報を取得する。これら各情報の取得に際しては、通信部４２より各車両１３にリクエスト信号を送信する。このリクエスト信号が各車両１３のコントローラ４５により受信されると、各車両１３のコントローラ４５はその応答として車両１３の位置情報及び蓄電量情報を通信部４５ａより送信する。そして、これら送信される各車両１３の位置情報及び蓄電量情報をそれぞれ通信部４２を介して受信することで、各車両１３の位置情報及び蓄電量情報を取得する。
【００５９】
ステップＳ１６では、上記ステップＳ１５で取得した各車両１３の位置情報及び蓄電量情報のうち少なくともいずれかの情報に基づき、各車両１３のうちいずれの車両１３により各建物１１の冷蔵庫２４へ給電を行うかを決定する給電車両決定処理を行う。この決定処理では、例えば以下の処理を行うことが考えられる。
【００６０】
（ｄ）まず、各車両１３の位置情報に基づいて、各建物１１の冷蔵庫２４に給電を行う車両１３を決定することが考えられる。この場合、各車両１３の位置情報に基づいて、各車両１３が地域Ｘ内にあるか否かを判定し、判定の結果、地域Ｘ内にあると判定された車両１３を給電用の車両１３として決定することが考えられる。
【００６１】
（ｅ）また、各車両１３の蓄電量情報に基づいて、各建物１１の冷蔵庫２４に給電を行う車両１３を決定することが考えられる。この場合、各車両１３の蓄電量情報に基づいて、各車両１３ごとに車両１３の蓄電量が所定量以上あるか否かを判定し、判定の結果、蓄電量が所定量以上ある車両１３を給電用の車両１３として決定することが考えられる。この際、所定量は、例えば車両１３により各建物１１の冷蔵庫２４に電力を供給する際に必要となる蓄電量（必要蓄電量）よりも大きな値として設定される。また、所定量は、上記必要蓄電量に、車両１３が所定距離走行するのに必要な蓄電量（走行可能蓄電量）を加えた値よりも大きな値として設定されてもよい。
【００６２】
また、本実施形態では、給電車両決定処理にて、各車両１３のうちいずれか一の車両１３が給電用の車両１３として決定されることを想定している。但し、各車両１３のうちいずれか２つの車両１３が給電用の車両１３として決定されるようにしてもよい。なお、給電車両決定処理にて、例えば各車両１３のすべてが地域Ｘ内にあると判定された場合には、各車両１３によりそれぞれ自建物１１の冷蔵庫２４に給電が可能であるため、この場合には本建物給電処理を終了することとする。
【００６３】
ステップＳ１７では、給電車両決定処理で決定された車両１３のユーザの携帯端末４８に各建物１１の冷蔵庫２４へ給電を行うよう給電指示を出す給電指示処理を行う。この給電指示処理では、上記ステップＳ１４で設定された各建物１１の冷蔵庫２４へ給電を行う際の優先順位にしたがって、それら各建物１１の冷蔵庫２４に給電を行うようユーザに対して給電指示を出す。以下においては、この給電指示処理の詳細について図５を用いながら説明する。図５は給電指示処理の流れを示すフローチャートである。なお、ステップＳ１７の給電指示処理が終了した後、本建物給電処理を終了する。
【００６４】
図５に示すように、給電指示処理では、まずステップＳ２１にて、優先順位カウンタｉを１に設定する（ｉ←１）。次のステップＳ２２では、給電の優先順位がｉ番目（詳しくは１番目）の冷蔵庫２４、つまり給電の優先順位が最も高い冷蔵庫２４に車両１３より給電を行うようユーザの携帯端末４８に指示を出す。この場合、通信部４２よりユーザの携帯端末４８に指示の内容をメールで送信する。例えば、「○○宅に移動して給電を行ってください」といったメッセージを送信する。また、この際、給電先の建物１１の所在地に関する情報（住所情報や地図情報等）を上記のメッセージと併せて送信するようにしてもよい。
【００６５】
なお、上記のメッセージを携帯端末４８が受信した際に携帯端末４８よりブザー音等の音声を出力したり、携帯端末４８を内蔵のバイブレーション機能を用いて振動させたりするようにしてもよい。そうすれば、給電の指示に関するメッセージが携帯端末４８に送信されたことをユーザは確実に気づくことができる。
【００６６】
冷蔵庫２４への給電の指示を受けたユーザはその冷蔵庫２４（つまり給電の優先順位が１番目の冷蔵庫２４）のある建物１１へ車両１３を移動させ、その建物１１に設けられた充電装置１５の充電ケーブル１５ａを車両１３に接続する。そして、その接続状態で、車両１３（車載バッテリ２７）に蓄えられた蓄電電力を車両１３より建物１１側の冷蔵庫２４に充電装置１５を介して供給する。これにより、停電発生により運転が停止されていた冷蔵庫２４が作動し（運転され）、冷蔵庫２４による食品の冷蔵が行われる。
【００６７】
次のステップＳ２３では、給電の優先順位がｉ番目の冷蔵庫２４、つまり給電の指示にしたがい車両１３からの給電が行われている冷蔵庫２４について庫内温度が所定値α以下であるか否かを判定する。この判定は、当該冷蔵庫２４の庫内温情報を記憶部４１より読み出し、その読み出した（現時点の）庫内温情報に基づいて行う。なお、この場合、所定値αは、例えば冷蔵庫２４の庫内設定温度に設定されている。但し、所定値αは必ずしも庫内設定温度とする必要はなく、庫内設定温度よりも高い温度に設定する等、任意としてよい。
【００６８】
冷蔵庫２４の庫内温度が所定値αよりも高くなっている場合には、庫内温度が所定値α以下となるまで本ステップＳ２３の判定を繰り返す。一方、庫内温度が所定値α以下となっている場合、つまり冷蔵庫２４の庫内が十分に冷却されたとみなせる場合にはステップＳ２４に進み、ユーザの携帯端末４８に冷蔵庫２４への給電を終了するよう給電終了指示を出す給電終了指示処理を行う。この処理では、通信部４２よりユーザの携帯端末４８に給電終了指示の内容をメールで送信する。例えば、「冷蔵庫への給電を終了して下さい」等のメッセージを送信する。
【００６９】
なお、このメッセージを携帯端末４８が受信した際にも、携帯端末４８よりブザー音等の音声を出力したり、携帯端末４８を内蔵のバイブレーション機能を用いて振動させたりするようにしてもよい。
【００７０】
冷蔵庫２４への給電終了の指示を受けたユーザは車両１３から冷蔵庫２４への給電を終了させ、充電装置１５の充電ケーブル１５ａを車両１３から取り外す。
【００７１】
続くステップＳ２５では、優先順位カウンタｉが３に設定されているか否かを判定する。優先順位カウンタｉが１又は２に設定されている場合にはステップＳ２６に進み、優先順位カウンタｉを１だけインクリメントした後（ｉ←ｉ＋１）、ステップＳ２２〜Ｓ２５の各処理を再び行う。つまり、給電の優先順位が１番目の冷蔵庫２４への給電終了の指示が出された後は、給電の優先順位が２番目の冷蔵庫２４への給電の指示と給電終了の指示とが出され、その後、給電の優先順位が３番目の冷蔵庫２４への給電の指示と給電終了の指示とが出されるようになっている。
【００７２】
このように、本給電指示処理では、ステップＳ１４で設定された給電の優先順位にしたがって各建物１１の冷蔵庫２４へ給電を行うよう車両１３のユーザに給電の指示が出されるようになっている。これにより、ユーザは、給電の優先順位にしたがって各建物１１に車両１３を移動させ、それら各建物１１の冷蔵庫２４に順に車両１３より給電を行うことが可能となっている。
【００７３】
一方、優先順位カウンタｉが３に設定されている場合、つまり給電の優先順位が３番目の冷蔵庫２４（換言すると給電の優先順位が最も低い冷蔵庫２４）への給電終了指示が出されている場合には本処理を終了する。
【００７４】
以上、詳述した本実施形態の構成によれば、以下の優れた効果が得られる。
【００７５】
建物１１で停電が発生した場合に、建物１１内の冷蔵庫２４に給電を行う車両として予め定められた給電車両１３のユーザの携帯端末４８に当該車両１３より冷蔵庫２４への給電を行うよう給電指示を出すこととした。これにより、建物１１で停電が発生した場合に、その建物１１の車両１３が使用中である等して建物１１付近にない場合でも、給電車両１３のユーザに同車両１３を用いて冷蔵庫２４への給電を行わせることができる。そのため、停電発生時において冷蔵庫２４内の食品を確実に保存させることができ、ひいては食の確保を確実に行うことができる。
【００７６】
複数の建物１１で停電が発生した場合に、それら各建物１１の冷蔵庫２４に給電を行うための給電車両１３を定めた。そして、各建物１１での停電発生時には各建物１１ごとに冷蔵庫２４の庫内温度を取得し、それら取得した各冷蔵庫２４の庫内温度に基づき、車両１３より各冷蔵庫２４へ給電を行う際の優先順位を設定した。そして、その設定した優先順位にしたがって各建物１１の冷蔵庫２４へ給電を行うよう車両１３のユーザに給電指示を出すこととした。具体的には、各建物１１の冷蔵庫２４のうち庫内温度が高い冷蔵庫２４ほど給電の優先順位を高く設定した。これにより、各建物１１の冷蔵庫２４に給電の求められる度合いの高い順で給電を行わせることが可能となるため、各冷蔵庫２４への給電を好適に行うことができる。また、庫内温度が高く食品の保存が困難な冷蔵庫２４に優先させて給電を行うことで、停電発生時に各冷蔵庫２４内の食品を好適に保存させることが可能となる。
【００７７】
また、各建物１１での停電発生時には各建物１１ごとに冷蔵庫２４内の食品在庫量を取得し、それら取得した各冷蔵庫２４の食品在庫量に基づき、車両１３より各冷蔵庫２４へ給電を行う際の優先順位を設定した。具体的には、各建物１１の冷蔵庫２４のうち食品在庫量が多い冷蔵庫２４ほど優先順位を高く設定した。これにより、各建物１１の冷蔵庫２４に給電の求められる度合いの高い順で給電を行わせることが可能となるため、各冷蔵庫２４への給電を好適に行うことができる。また、食品在庫量が多く食の確保に有効な冷蔵庫２４に優先させて給電を行うことで、停電発生時に食の確保を好適に行うことができる。また、多くの食品を確保することで、停電時にその食品を各建物１１の居住者に分け与えるといったことも可能となるため、その点を踏まえても好適な構成といえる。
【００７８】
各建物１１で停電が生じた場合に各建物１１ごとに居住者の在不在を判定し、その判定結果に基づき車両１３より各建物１１の冷蔵庫２４へ給電を行う際の優先順位を設定した。具体的には、居住者が在宅している建物１１の冷蔵庫２４ほど給電の優先順位を高く設定した。この場合、居住者が在宅していることで食の確保が必要となる建物１１の冷蔵庫２４に優先して給電を行うことができるため、停電発生時において好適に居住者の食の確保を行うことができる。
【００７９】
各建物１１で停電が生じた場合に各車両１３の位置情報を取得し、それら取得した各車両１３の位置情報に基づいて、それら各車両１３のうちいずれの車両１３のユーザに給電指示を出すかを決定した。具体的には、各車両１３ごとに車両１３が地域Ｘ内にあるか否かを判定し、判定の結果、地域Ｘにあると判定された車両１３のユーザに給電指示を出すこととした。この場合、車両１３による建物１１内の冷蔵庫２４への給電を速やかに行わせることができるため、冷蔵庫２４内の食品の保存を好適に行うことができる。
【００８０】
各建物１１で停電が生じた場合に各車両１３の蓄電量情報を取得し、それら取得した各車両１３の蓄電量情報に基づいて、それら各車両１３のうちいずれの車両１３のユーザに給電指示を出すかを決定した。具体的には、各車両１３のうち蓄電量が所定量以上ある車両１３のユーザに給電指示を出すこととした。この場合、車両１３から冷蔵庫２４への給電をある程度長期に亘って行うことができるため、冷蔵庫２４内を好適に冷却することができ、食品の保存を好適に行うことが可能となる。
【００８１】
地域Ｘ内に設けられた（給電対象である）各建物１１の車両１３をそれぞれ停電時にそれら建物１１の冷蔵庫２４へ給電を行う給電車両として定め、停電発生時にはこれら各車両１３のうち地域Ｘ内に存在する車両１３のユーザに給電指示を出すことした。この場合、地域Ｘ内における各建物１１の車両１３を用いてそれら各建物１１の冷蔵庫２４への給電を行うこととしているため、冷蔵庫２４への給電を速やかに開始させることができるとともに、給電車両として専用の車両を別途用意する必要がないという利点を得ることもできる。
【００８２】
管理サーバ４０の記憶部４１に各建物１１における冷蔵庫２４の庫内温情報及び食品在庫量と、各建物１１の在不在情報とを都度記憶するようにし、停電発生時には記憶部４１からこれら各情報を読み出して取得し、その取得した情報に基づき、各冷蔵庫２４へ給電する際の優先順位を設定するようにした。建物１１での停電発生時には各センサ３１〜３３に電力が供給されなくなりセンサ３１〜３３が作動しなくなることが想定されるが、上記のように記憶部４１に記憶した情報を読み出して取得するようにしたことで、停電発生時にもこれらの情報に基づき優先順位を設定することが可能となる。
【００８３】
本発明は上記実施形態に限らず、例えば次のように実施されてもよい。
【００８４】
・上記実施形態では、停電発生時に各建物１１の冷蔵庫２４の庫内温情報に基づき、車両１３より各建物１１の冷蔵庫２４へ給電を行う際の優先順位を設定したが、これを変更してもよい。例えば、停電発生時に各建物１１の冷蔵庫２４の周囲温度を取得し、それら取得した各冷蔵庫２４の周囲温情報に基づき、給電の優先順位を設定するようにしてもよい。具体的には、周囲温度が高い冷蔵庫２４ほど給電の優先順位を高く設定することが考えられる。停電発生時には冷蔵庫２４の周囲温度が高いほど冷蔵庫２４の庫内温が高くなり易いと考えられるため、この場合、庫内温度が高くなり易く食品の保存が困難な冷蔵庫２４に優先させて給電を行うことができる。
【００８５】
・上記実施形態では、各建物１１の冷蔵庫２４へ給電を行う際の優先順位を設定し、その優先順位にしたがって各建物１１の冷蔵庫２４へ給電を行うよう車両１３のユーザに給電指示を出したが、各冷蔵庫２４への給電指示の出し方は必ずしもこれに限らない。例えば、各建物１１の冷蔵庫２４のうち、庫内温が所定値以上となっている冷蔵庫２４にのみ又は在庫量が所定量以上となっている冷蔵庫２４にのみ、冷蔵庫２４への給電を行うよう給電指示を出すことが考えられる。
【００８６】
また、給電指示を出すに際しては必ずしも各冷蔵庫２４に対してどのように給電を行うかに関する指示を出す必要はない。つまり、各冷蔵庫２４にそれぞれ給電を行うよう指示を出すだけでもよい。
【００８７】
・上記実施形態では、停電発生時に記憶部４１より冷蔵庫２４の庫内温情報を読み出して取得したが、これを変更して、停電発生時に庫内温センサ３１からの検知信号に基づき冷蔵庫２４の庫内温を取得してもよい。庫内温センサ３１はバッテリを内蔵し、停電発生時にもバッテリの電力で作動させることが可能であるため、このような構成とすることも可能である。また、在庫量センサ３２や人検知センサ３３に関しても、バッテリ内蔵型とすることで、上記同様、停電発生時にセンサ３２，３３からの検知信号に基づき、食品在庫量等を取得することが可能である。
【００８８】
・上記実施形態では、給電指示処理において、一の冷蔵庫２４への給電終了指示を出してから次の優先順位の冷蔵庫２４への給電の指示を出すようにすることで、設定された給電の優先順位にしたがって各冷蔵庫２４に給電を行うよう指示を出すこととしたが、給電の優先順位にしたがって各冷蔵庫２４に給電を行うよう指示を出す方法は必ずしもこれに限らない。例えば、給電指示処理において、各建物１１の冷蔵庫２４に給電を行う際の順序（優先順位に沿った順序）を1回の指示で行うようにしてもよい。
【００８９】
・上記実施形態では、（給電対象である）各建物１１における車両１３をそれぞれ停電発生時にそれら各建物１１に給電を行う給電車両として登録したが、各建物１１の車両１３以外の車両を給電車両として登録するようにしてもよい。但しその場合でも、その給電車両は地域Ｘ内の車両とするのが望ましい。
【００９０】
また、上記実施形態では、給電対象として登録された車両１３（給電車両）が３台であったが、給電車両は１台又は２台であってもよいし、４台以上であってもよい。
【００９１】
・上記実施形態では、給電対象である建物１１（の冷蔵庫２４）が３つの場合を例として本建物給電システムを説明したが、例えば給電対象の建物１１が２つ又は４つ以上の場合に本建物給電システムを適用してもよい。また、給電対象である建物１１が１つしかない場合に本建物給電システムを適用するようにしてもよい。この場合、給電対象の建物１１が１つしかないため、車両１３により建物１１への給電を行う際の優先順位を設定する優先順位設定処理等は不要となる。
【符号の説明】
【００９２】
１１…所定の建物としての建物、１３…給電車両としての車両、２４…冷蔵庫、４０…管理サーバ、４８…携帯端末、Ｘ…所定地域としての地域。
【図１】
2018078689.tif 000003
【図２】
2018078689.tif 000004
【図３】
2018078689.tif 000005
【図４】
2018078689.tif 000006
【図５】
2018078689.tif 000007